(57)【要約】      （修正有）【課題】箒と草切り具の双方を離脱可能な一物品的に構成することにて、使用時利便性の向上を図る草切り具収納型箒を提供する。【解決手段】その一端にブラシ体を集合植設してなる中空の柄２を有する箒本体を設け、刃部を有するとともに柄２内に収納可能なる棒状の草切り具１０を設け、箒本体に対して草切り具１０の収納と離脱が可能となるよう組み合わせ構成したことを特徴とする。【選択図】図５
0003193792.tif 000002
【実用新案登録請求の範囲】
【請求項１】
その一端にブラシ体を集合植設してなる中空の柄を有する箒本体を設け、刃部を有するとともに前記柄内に収納可能なる棒状の草切り具を設け、箒本体に対して草切り具の収納と離脱が可能となるよう組み合わせ構成したことを特徴とする草切り具収納型箒。
【請求項２】
柄に対し草切り具を押圧挿入可能となるよう、草切り具適所に押圧保持部を設けてなる請求項１記載の草切り具収納型箒。
【請求項３】
押圧保持部に、斜面部と大径部とを有する覆設ゴムを用いてなる請求項２記載の草切り具収納型箒。
【請求項４】
草切り具の刃部を、管体の斜方切除にて形成してなる請求項１〜３のいずれかの項に記載の草切り具収納型箒。
【考案の詳細な説明】
【技術分野】
【０００１】  この考案は、草切り具を柄に収納可能とした箒に関する。
【背景技術】
【０００２】  従来より、種々の箒が多用されているが、本案にて示すように、柄に草切り具を収納可能とした箒は見当たらない。
【考案の概要】
【考案が解決しようとする課題】
【０００３】  箒は路面や床面清掃用具として用いられ、草切り具は除草等に主に屋外にて使用され、各々別物品として用いられている。家庭菜園などは、家屋敷地内の適所に設けられることが多く、除草作業も必要となる。また、敷地内の清掃も必要で、各々別目的のために、清掃用としては箒を、除草用としては草切り具その他の用具が用いられるが、目的が異なるために個別に専用の用具を持ち出して使用している。これが一つに合体した用具があれば一つの用具にて複数目的に対応できるが、現在、このような用具は見当たらないのが現状である。
本案は以上に鑑み、箒の柄に草切り具を収納一体化することにより、一物品で複数目的の作業を可能とする新規かつ有用なる手段を提供することを目的として発案されたものである。
【課題を解決するための手段】
【０００４】  課題を解決する手段として本案は以下の構成とした。
すなわち、その一端にブラシ体を集合植設してなる中空の柄を有する箒本体を設け、刃部を有するとともに前記柄内に収納可能なる棒状の草切り具を設け、箒本体に対して草切り具の収納と離脱が可能となるよう組み合わせ構成する。
本案は以上の構成よりなる草切り具収納型箒である。
【考案の効果】
【０００５】  本案は下記の効果を有する。
１．箒の柄に草切り具を収納離脱可能に構成したので、必要に応じて箒または草切り具を  選択的に使用することができる。
２．箒の柄に草切り具を押圧保持可能としたので、箒使用時において両物品を一体的に用  いることができる。
３．構成シンプルにして、取り扱いも容易であるとともに、比較的低コストでの製作が可  能である。
４．箒の柄に草切り具の大部分が収納されるので、箒としての外観的違和感を払拭するこ  とができる。
【図面の簡単な説明】
【０００６】
【図１】本考案の正面図（草切り具収納状態）
【図２】本考案の箒本体の正面図
【図３】本考案の草切り具の正面図
【図４】本考案の箒本体の要部拡大正面図
【図５】本考案の草切り具収納状態説明図
【図６】本考案の草切り具の拡大正面図（一部略）
【図７】本考案の要部構造説明図
【考案を実施するための最良の形態】
【０００７】  以下、本考案の実施形態について説明する。
図において、１は箒本体である。２は金属管体による柄、３は柄の一端外面にゴムを覆設してなる柄グリップ部で、該グリップ外面には環状凹部４が連設される。５は柄の他端に設けられるブラシ体保持部（公知構造）で、該保持部に適度の弾力を有する細長合成樹脂集合体によるブラシ体６が植設される。以上にて箒本体が構成される。【０００８】  １０は草切り具である。１１は適当長の金属製薄肉管体による主体、１２は主体端近傍を斜方に切除してなる刃部である。１３はグリップで、合成樹脂円筒体の外面にゴム製の被覆体１４を覆設したものであり、該被覆体外面には斜方直交する線状凹部１５が設けられる。１６は被覆ゴムで、グリップ近傍の主体外面に覆設される。この被覆ゴムのグリップ寄りの位置は同一外径を有する所定長の大径部１７（押圧保持部）であり、この大径部に連続する部分は次第に小径となる斜面部１８として設けられる。なお、前記した柄の内径に対し、大径部の外径はわずかに大きく、箒本体に主体を挿入して保持させるが、大径部はわずかに押圧変形して、人力にて挿入可能程度の適度の嵌合状態が保たれる。【０００９】  本案の使用に際しては、まず図１のように箒本体内に草切り具を収納しておく。このまま通常の箒として使用することができる。草切り具を使用するときは、箒本体より草切り具を取り出して使用する。使用後はもとのように両物品を収納一体化させることができる。
箒本体の一端近傍はやや小径となり、ここに柄グリップ部が形成される。
柄グリップ部は筒状のゴムであるとともに、その外面には図４にて示すように環状凹部が連設され、箒の柄に固着されている。【００１０】  草切り具の先端側は、斜方に切除されて刃部となり、その先端は先鋭的となり、この刃部を用いて草を切り、除草することができる。また、草切り具の他端にはグリップが設けられ、このグリップ外面には線状凹部が設けられている。このグリップに近接して被覆ゴムが設けられ、この被覆ゴムには大径部とこの大径部に連続する斜面部があるために、箒の柄に草切り具を収納するとき、双方は適度に押圧保持関係となって、柄に草切り具を安定保持させることができる。また、斜面部が挿入時のガイドとなって、スムースな収納が可能となる。
柄グリップ部とグリップともにその外面に凹部を設けているので、柄から草切り具を引き出すときに、握った手への摩擦にて円滑に引き出すことができる。また、各凹部はその形状を違えているので、柄とグリップを容易に視認することができる。さらに、双方のグリップ着色を違えたものとすれば、さらに識別が容易となる。【００１１】  以上、本案について記したが、本案は箒と草切り具を着脱収納可能としたところにその特徴を有するものである。従来はこのような物品がなかったために、目的ごとに必要用具を持ち出して使用していたが、本案にて２物品の一体化が可能となり、利便性に富む用具となったのである。既例において、草切り具は除草のためのものとして表現したが、細溝内のゴミ取りなど他用途にも用いることができる。
本案は、草切り具収納物品としたが、柄内に収納可能なサイズであれば、他用途物品の収納も可能である。なお、既述の例は実施の一例であり、近似の他の構成としてもよい。
以上のごとく、本案によって利便性に富む草切り具収納型の箒を得ることができる。
【符号の説明】
【００１２】１    箒本体
２    柄
３    柄グリップ部
４    環状凹部
５    ブラシ体保持部
６    ブラシ体
１０  草切り具
１１  主体
１２  刃部
１３  グリップ
１４  被覆体
１５  線状凹部
１６  被覆ゴム
１７  大径部
１８  斜面部
【図１】
0003193792.tif 000003
【図２】
0003193792.tif 000004
【図３】
0003193792.tif 000005
【図４】
0003193792.tif 000006
【図５】
0003193792.tif 000007
【図６】
0003193792.tif 000008
【図７】
0003193792.tif 000009